(57)【要約】【課題】  パンポットが設定されている場合に、再生する音声の音質の劣化やレベルの低下を防止できるようにする。【解決手段】  ＣＰＵ１２は、着信を検出すると、ＲＯＭ１１から着信メロディの音源データを抽出し、音源１３に出力する。音源１３は、音源データからＬチャネル及びＲチャネルのメロディデータ及びパンポット情報を抽出し、ＤＳＰ部１６に出力する。ＤＳＰ部１６は、パンポット情報に基づいて、パンポットの設定値Ｘが０であるか否かを判断する。設定値Ｘが０であると判断すると、ＤＳＰ部１６は、音像定位処理を行わずに、各メロディデータをそのまま出力する。そして、各スピーカ１９Ｌ，１９Ｒは、スピーカアンプ１８からの信号に基づいて、着信メロディをモノラル再生する。【選択図】  図１
2006246244.tif 000002
【特許請求の範囲】
【請求項１】
音声データをステレオ再生する際に音像の定位を行う携帯端末であって、
処理対象の音声データに含まれるパンポットの設定値に基づいて、音像を定位するための信号処理である音像定位処理を行うか否かを判断する処理実行判断手段と、
前記処理実行手段が音像定位処理を行うと判断すると、前記処理対象の音声データに対して前記音像定位処理を行う信号処理手段と、
前記信号処理手段が出力した音声データに基づいて、音声を再生する音声再生手段とを
備えたことを特徴とする携帯端末。
【請求項２】
処理実行判断手段は、処理対象の音声データに含まれるパンポットの設定値が０であるか否かを判断し、
信号処理手段は、
前記処理実行判断手段がパンポットの設定値が０であると判断すると、音声定位処理を行わずに処理対象の音声データをそのまま出力し、
前記処理実行判断手段がパンポットの設定値が０でないと判断すると、処理対象の音声データを音像定位処理を行って出力する
請求項１記載の携帯端末。
【請求項３】
パンポットの設定値を含む着信メロディの音声データを記憶する音声記憶手段と、
着信の有無を検出する着信検出手段と、
前記着信検出手段が着信を検出すると、前記音声記憶手段から着信メロディの音声データを抽出する音声抽出手段とを備え、
音声再生手段は、信号処理手段が出力した音声データに基づいて、着信メロディを再生する
請求項１又は請求項２記載の携帯端末。
【請求項４】
着信メロディをステレオ再生する際に音像の定位を行う携帯端末であって、
着信メロディの音声データに含まれるパンポットの設定値に基づいて、音像を定位するための信号処理である音像定位処理を行うか否かを判断する処理実行判断手段と、
前記処理実行手段が音像定位処理を行うと判断すると、前記処理対象の音声データに含まれる左側チャネルのデータ及び右側チャネルのデータに対して、それぞれ前記音像定位処理を行う信号処理手段と、
前記信号処理手段が出力した左側チャネルのデータ及び右側チャネルのデータに基づいて、近接した２つのスピーカによる着信メロディの再生を行う音声再生手段とを
備えたことを特徴とする携帯端末。
【請求項５】
音声データをステレオ再生する際に音像の定位を行う音像制御装置であって、
処理対象の音声データに含まれるパンポットの設定値に基づいて、音像を定位するための信号処理である音像定位処理を行うか否かを判断する処理実行判断手段と、
前記処理実行手段が音像定位処理を行うと判断すると、前記処理対象の音声データに対して前記音像定位処理を行う信号処理手段と、
前記信号処理手段が出力した音声データに基づいて、音声を再生する音声再生手段とを
備えたことを特徴とする音像制御装置。
【請求項６】
パンポットの設定値を含む音声データを記憶する音声記憶手段を備え、
処理実行判断手段は、前記音声記憶手段が記憶する音声データに含まれるパンポットの設定値に基づいて、音像定位処理を行うか否かを判断する
請求項５記載の音像制御装置。
【請求項７】
処理実行判断手段は、処理対象の音声データに含まれるパンポットの設定値が０であるか否かを判断し、
信号処理手段は、
前記処理実行判断手段がパンポットの設定値が０であると判断すると、音声定位処理を行わずに処理対象の音声データをそのまま出力し、
前記処理実行判断手段がパンポットの設定値が０でないと判断すると、処理対象の音声データを音像定位処理を行って出力する
請求項５又は請求項６記載の音像制御装置。
【請求項８】
音声再生手段は、
信号処理手段が音声定位処理を行わずに処理対象の音声データをそのまま出力すると、前記信号処理手段が出力した音声データに基づいて、音声をモノラル再生し、
前記信号処理手段が処理対象の音声データを音像定位処理を行って出力すると、前記信号処理手段が出力した音声データに基づいて、音声をステレオ再生する
請求項７記載の音像制御装置。
【請求項９】
音声データをステレオ再生する際に音像の定位を行う音像制御方法であって、
処理対象の音声データに含まれるパンポットの設定値に基づいて、音像を定位するための信号処理である音像定位処理を行うか否かを判断する処理実行判断ステップと、
前記音像定位処理を行うと判断すると、信号処理回路が前記処理対象の音声データに対して音像定位処理を行う信号処理ステップと、
前記信号処理回路が出力した音声データに基づいて、音声を再生する音声再生ステップとを含む
ことを特徴とする音像制御方法。
【請求項１０】
パンポットの設定値を含む音声データを記憶する音声記憶ステップを含み、
処理実行判断ステップで、前記記憶した音声データに含まれるパンポットの設定値に基づいて、音像定位処理を行うか否かを判断する
請求項９記載の音像制御方法。
【請求項１１】
処理実行判断ステップで、処理対象の音声データに含まれるパンポットの設定値が０であるか否かを判断し、
信号処理ステップで、
前記パンポットの設定値が０であると判断すると、信号処理回路が音声定位処理を行わずに処理対象の音声データをそのまま出力し、
前記パンポットの設定値が０でないと判断すると、前記信号処理回路が処理対象の音声データを音像定位処理を行って出力する
請求項９又は請求項１０記載の音像制御方法。
【請求項１２】
音声再生ステップで、
信号処理回路が音声定位処理を行わずに処理対象の音声データをそのまま出力すると、前記信号処理回路が出力した音声データに基づいて、音声をモノラル再生し、
前記信号処理回路が音声データを音像定位処理を行って出力すると、前記信号処理回路が出力した音声データに基づいて、音声をステレオ再生する
請求項１１記載の音像制御方法。
【発明の詳細な説明】
【技術分野】
【０００１】
本発明は、音声データを再生する際に音像の定位を行う携帯端末、音像制御装置及び音像制御方法に関する。
【背景技術】
【０００２】
音源が出力する音声データ（例えば、楽曲データ）に対して所定の信号処理を行い、音像を定位させて、近接した複数のスピーカを用いて音声をステレオ再生することが行われている。例えば、特許文献１には、着信メロディ等をステレオとして再生可能な複数のスピーカを備えた折り畳み式携帯電話機が記載されている。また、例えば、特許文献２には、複数のスピーカ間で高精度且つ再現性をもたせて音像を定位させ、常に一様の速度で音像の移動を制御できる音像移動装置が記載されている。
【０００３】
【特許文献１】特開２００４−９６５７３号公報（段落００２９−００３８、図１−３）
【特許文献２】特開平８−２０５２９６号公報（段落００１７−００２８、図１−３）
【発明の開示】
【発明が解決しようとする課題】
【０００４】
特許文献１に記載された携帯電話機等の携帯端末において、ＰＡＮＰＯＴ（パンポット）を設定してステレオ効果を与えた音声データに対して信号処理を行い、着信メロディ等をステレオ再生させることがある。この場合、一般に、携帯端末は、音源からのパンポット情報に示される設定値にかかわらず、全ての音声データについて信号処理を行う。そのため、パンポットの設定値が０の場合（すなわち、ユーザが認識する音源位置が正面になるように音像を定位させる場合）、携帯端末は、ステレオ効果が得られないにもかかわらず信号処理を行うことになる。従って、携帯端末が行う処理の無駄が大きい。また、信号処理を行う信号処理部のフィルタ特性によって、音声データの音質やレベルが変化してしまい、着信メロディを再生する際の音質の劣化やレベルの低下を生じてしまう。
【０００５】
また、特許文献２に記載された音像移動装置を携帯端末に用いれば、複数のスピーカ間で音像の移動を高精度に一様に制御して音声再生することができる。しかし、パンポットが設定された音声データにおいて、パンポットの設定値が０である場合に、音声を再生する際の音質の劣化やレベルの低下を防止することはできない。
【０００６】
そこで、本発明は、パンポットが設定されている場合に、再生する音声の音質の劣化やレベルの低下を防止できる携帯端末、音像制御装置及び音像制御方法を提供することを目的とする。
【課題を解決するための手段】
【０００７】
本発明による携帯端末は、音声データをステレオ再生する際に音像の定位を行う携帯端末（例えば、携帯電話機）であって、処理対象の音声データ（例えば、ＲＯＭ１１が記憶する音源データ）に含まれるパンポットの設定値に基づいて、音像を定位するための信号処理である音像定位処理を行うか否かを判断する処理実行判断手段（例えば、ＤＳＰ部１６によって実現される）と、処理実行手段が音像定位処理を行うと判断すると、処理対象の音声データに対して音像定位処理を行う信号処理手段（例えば、ＤＳＰ部１６によって実現される）と、信号処理手段が出力した音声データに基づいて、音声を再生する音声再生手段（例えば、スピーカ１９Ｌ，１９Ｒによって実現される）とを備えたことを特徴とする。
【０００８】
また、携帯端末において、処理実行判断手段は、処理対象の音声データに含まれるパンポットの設定値が０であるか否かを判断し、信号処理手段は、処理実行判断手段がパンポットの設定値が０であると判断すると、音声定位処理を行わずに処理対象の音声データをそのまま出力し、処理実行判断手段がパンポットの設定値が０でないと判断すると、処理対象の音声データを音像定位処理を行って出力するものであってもよい。
【０００９】
また、携帯端末は、パンポットの設定値を含む着信メロディの音声データを記憶する音声記憶手段（例えば、ＲＯＭ１１によって実現される）と、着信の有無を検出する着信検出手段（例えば、ＣＰＵ１２によって実現される）と、着信検出手段が着信を検出すると、音声記憶手段から着信メロディの音声データを抽出する音声抽出手段（例えば、ＣＰＵ１２によって実現される）とを備え、音声再生手段は、信号処理手段が出力した音声データに基づいて、着信メロディを再生するものであってもよい。
【００１０】
また、携帯端末は、着信メロディをステレオ再生する際に音像の定位を行う携帯端末であって、着信メロディの音声データに含まれるパンポットの設定値に基づいて、音像を定位するための信号処理である音像定位処理を行うか否かを判断する処理実行判断手段と、処理実行手段が音像定位処理を行うと判断すると、処理対象の音声データに含まれる左側チャネルのデータ及び右側チャネルのデータに対して、それぞれ音像定位処理を行う信号処理手段と、信号処理手段が出力した左側チャネルのデータ及び右側チャネルのデータに基づいて、近接した２つのスピーカによる着信メロディの再生を行う音声再生手段とを備えたものであることが望ましい。
【００１１】
本発明による音像制御装置は、音声データをステレオ再生する際に音像の定位を行う音像制御装置であって、処理対象の音声データに含まれるパンポットの設定値に基づいて、音像を定位するための信号処理である音像定位処理を行うか否かを判断する処理実行判断手段と、処理実行手段が音像定位処理を行うと判断すると、処理対象の音声データに対して音像定位処理を行う信号処理手段と、信号処理手段が出力した音声データに基づいて、音声を再生する音声再生手段とを備えたことを特徴とする。
【００１２】
また、音像制御装置は、パンポットの設定値を含む音声データを記憶する音声記憶手段を備え、処理実行判断手段は、音声記憶手段が記憶する音声データに含まれるパンポットの設定値に基づいて、音像定位処理を行うか否かを判断するものであってもよい。
【００１３】
また、音像制御装置において、処理実行判断手段は、処理対象の音声データに含まれるパンポットの設定値が０であるか否かを判断し、信号処理手段は、処理実行判断手段がパンポットの設定値が０であると判断すると、音声定位処理を行わずに処理対象の音声データをそのまま出力し、処理実行判断手段がパンポットの設定値が０でないと判断すると、処理対象の音声データを音像定位処理を行って出力するものであってもよい。
【００１４】
また、音像制御装置において、音声再生手段は、信号処理手段が音声定位処理を行わずに処理対象の音声データをそのまま出力すると、信号処理手段が出力した音声データに基づいて、音声をモノラル再生し、信号処理手段が処理対象の音声データを音像定位処理を行って出力すると、信号処理手段が出力した音声データに基づいて、音声をステレオ再生するものであってもよい。
【００１５】
本発明による音声制御方法は、音声データをステレオ再生する際に音像の定位を行う音像制御方法であって、処理対象の音声データに含まれるパンポットの設定値に基づいて、音像を定位するための信号処理である音像定位処理を行うか否かを判断する処理実行判断ステップと、音像定位処理を行うと判断すると、信号処理回路が処理対象の音声データに対して音像定位処理を行う信号処理ステップと、信号処理回路が出力した音声データに基づいて、音声を再生する音声再生ステップとを含むことを特徴とする。
【００１６】
また、音声制御方法は、パンポットの設定値を含む音声データを記憶する音声記憶ステップを含み、処理実行判断ステップで、記憶した音声データに含まれるパンポットの設定値に基づいて、音像定位処理を行うか否かを判断するものであってもよい。
【００１７】
また、音声制御方法は、処理実行判断ステップで、処理対象の音声データに含まれるパンポットの設定値が０であるか否かを判断し、信号処理ステップで、パンポットの設定値が０であると判断すると、信号処理回路が音声定位処理を行わずに処理対象の音声データをそのまま出力し、パンポットの設定値が０でないと判断すると、信号処理回路が処理対象の音声データを音像定位処理を行って出力するものであってもよい。
【００１８】
また、音声制御方法は、音声再生ステップで、信号処理回路が音声定位処理を行わずに処理対象の音声データをそのまま出力すると、信号処理回路が出力した音声データに基づいて、音声をモノラル再生し、信号処理回路が音声データを音像定位処理を行って出力すると、信号処理回路が出力した音声データに基づいて、音声をステレオ再生するものであってもよい。
【発明の効果】
【００１９】
本発明によれば、音声データに含まれるパンポットの設定値に基づいて、音像定位処理を行うか否かを判断する。そのため、ステレオ効果が得られない場合に、音声定位を行わないようにすることによって、音圧を確保しつつ良好な音質で音声を再生することができる。従って、パンポットが設定されている場合に、再生する音声の音質の劣化やレベルの低下を防止することができる。
【００２０】
また、本発明によれば、パンポットの設定値が０であるか否かを判断する。そして、パンポットの設定値が０であると判断すると、音声定位処理を行わすに音声データをそのまま出力する。従って、ステレオ効果が得られないパンポットの設定値が０である場合に、音声定位を行わないようにすることによって、音圧を確保しつつ良好な音質で音声を再生することができる。
【００２１】
また、本発明によれば、携帯端末は、着信を検出すると、着信メロディの音声データに含まれるパンポットの設定値に基づいて、音声定位処理を行うか否かを判断する。従って、パンポットが設定されている場合に、携帯端末が再生する着信メロディの音質の劣化やレベルの低下を防止することができる。
【発明を実施するための最良の形態】
【００２２】
以下、本発明の実施の形態を図面を参照して説明する。図１は、本発明による音像制御装置の構成の一例を示すブロック図である。図１に示すように、音像制御装置は、ＲＯＭ１１、ＣＰＵ１２、音源１３、ＤＳＰ部１６、Ｄ／Ａコンバータ１７、スピーカアンプ１８及びスピーカ１９Ｌ，１９Ｒを含む。本実施の形態では、一例として、音像制御装置を携帯電話機に用いる場合を説明する。なお、音像制御装置は、携帯電話機に限らず、ＰＨＳ等他の携帯端末に用いてもよい。
【００２３】
本実施の形態において、音像制御装置は、携帯電話機が着信メロディ等の音声データをステレオ再生する際に、音像の定位を行うための信号処理である音像定位処理を行って音声を出力する。一般に、人間は、２つの耳によって音声を認識する際に、一方の耳と他方の耳との間に生じる微妙な音圧差と位相差とに基づいて脳が処理及び解析することによって、音源の方向を認識する。本実施の形態において、「音像を定位する」とは、音声データを信号処理して音圧差及び位相差を与えることによって、人間が認識する音源位置の方向を制御することをいう。
【００２４】
ＲＯＭ１１は、音声データ（楽曲データ）を予め記憶する。本実施の形態では、ＲＯＭ１１は、音声データとして、着信音として出力する着信メロディの音源データを記憶する。また、ＲＯＭ１１は、予めＰＡＮＰＯＴ（パンポット）の設定値Ｘを含むパンポット情報を付加された音源データを記憶する。本実施の形態では、「パンポット」とは、ステレオ出力時の音源の定位を示す楽音パラメータである。また、本実施の形態では、パンポット情報は、パンポットの設定値Ｘを含むことによって、音源の左右への定位を設定するための情報である。本実施の形態では、ＲＯＭ１１が記憶する音源データは、パンポットの設定値Ｘとして、「＋７」から「−７」までの値を含むパンポット情報が付加されている。
【００２５】
なお、本実施の形態において、携帯電話機は、例えば、ユーザの指示操作に従って、着信メロディを配信するＷｅｂサイトから音源データをダウンロードし、予めＲＯＭ１１に記憶している。
【００２６】
ＣＰＵ１２は、プログラムに従って携帯電話機の各種制御を行う機能を備える。例えば、ＣＰＵ１２は、携帯電話機の発信処理や着信処理等の各種処理を行う。また、ＣＰＵ１２は、着信を検出すると、ＲＯＭ１１から着信メロディの音源データを抽出し、音源１３に出力する機能を備える。
【００２７】
音源１３は、ＣＰＵ１２からの音源データに基づいて、２系統のメロディデータをＤＳＰ部１６に出力する機能を備える。本実施の形態では、音源１３は、音源データに含まれる左側チャネル（以下、Ｌチャネルという）のメロディデータと、右側チャネル（以下、Ｒチャネルという）のメロディデータとを抽出し、ＤＳＰ部１６に出力する。また、音源１３は、ＣＰＵ１２から入力した音源データからパンポット情報を抽出し、ＤＳＰ部１６に出力する機能を備える。
【００２８】
ＤＳＰ部（信号処理部）１６は、音源１３からの２系統のメロディデータを信号処理する機能を備える。本実施の形態では、ＤＳＰ部１６は、Ｌチャネル及びＲチャネルのメロディデータに対して、音像を定位させるための信号処理（音像定位処理）を行う。例えば、ＤＳＰ部１６は、各メロディデータのレベルや位相を制御することによって音像定位処理を行う。
【００２９】
本実施の形態では、ＤＳＰ部１６は、例えば、Ｌチャネルのメロディデータを、Ｒチャネルのメロディデータに対して振幅及び位相を所定量だけずらす。そして、ＤＳＰ部１６は、Ｒチャネルのメロディデータと、振幅及び位相をずらしたＬチャネルのメロディデータとを合成して、Ｄ／Ａコンバータ１７に出力する。また、ＤＳＰ部１６は、例えば、Ｒチャネルのメロディデータを、Ｌチャネルのメロディデータに対して振幅及び位相を所定量だけずらす。そして、ＤＳＰ部１６は、Ｌチャネルのメロディデータと、振幅及び位相をずらしたＲチャネルのメロディデータとを合成して、Ｄ／Ａコンバータ１７に出力する。
【００３０】
また、ＤＳＰ部１６は、音源１３からのパンポット情報に基づいて、パンポットの設定値が０であるか否かを判断する機能を備える。また、ＤＳＰ部１６は、パンポットの設定値の判断結果に基づいて、音像定位処理を行うか否かを判断する機能を備える。本実施の形態では、ＤＳＰ部１６は、パンポットの設定値の判断結果に基づいて、音像定位処理をオン又はオフに設定する。
【００３１】
Ｄ／Ａコンバータ１７は、ＤＳＰ部１６が信号処理したデータをアナログ信号に変換する機能を備える。スピーカアンプ１８は、Ｄ／Ａコンバータ１７からの信号のレベルを増減する機能を備える。スピーカ１９Ｌ，１９Ｒは、スピーカアンプ１８からの信号に基づいて音声を出力する機能を備える。本実施の形態では、携帯電話機は、図１に示すように、近接した２つのスピーカ１９Ｌ，１９Ｒを備える。スピーカ（以下、Ｌスピーカという）１９Ｌは、Ｌチャネルの信号に基づいて音声を出力する。また、スピーカ（以下、Ｒスピーカという）１９Ｒは、Ｒチャネルの信号に基づいて音声を出力する。
【００３２】
次に、動作について説明する。図２は、携帯電話機において着信があった場合に、着信メロディの音像を定位させて音声出力する処理の一例を示す流れ図である。携帯電話機が基地局から着信信号を受信すると、ＣＰＵ１２は、着信を検出する（ステップＳ１１）。すると、ＣＰＵ１２は、ＲＯＭ１１から着信メロディの音源データを抽出し、抽出した音源データを音源１３に出力する（ステップＳ１２）。
【００３３】
音源１３は、ＣＰＵ１２から入力した音源データから、ＬチャネルのメロディデータとＲチャネルのメロディデータとを抽出する。また、音源１３は、音源データに含まれるパンポット情報を抽出する。そして、音源１３は、Ｌチャネル及びＲチャネルのメロディデータと、パンポット情報とをＤＳＰ部１６に出力する。
【００３４】
ＤＳＰ部１６は、音源１３から入力したパンポット情報に基づいて、パンポットの設定値Ｘが０であるか否かを判断する（ステップＳ１３）。
【００３５】
設定値が０でないと判断すると、ＤＳＰ部１６は、Ｌチャネル及びＲチャネルのメロディデータに対して、所定の音像定位処理を行う（ステップＳ１４）。この場合、ＤＳＰ部１６は、パンポット情報に示されるパンポットの設定値Ｘに従って、各メロディデータのレベルや位相を制御する。
【００３６】
例えば、パンポットの設定値Ｘがプラスの値（すなわち、０＜Ｘ＜＋７）である場合、ＤＳＰ部１６は、ＲチャネルよりＬチャネルの出力レベルが大きくなるように、各メロディデータを処理する。また、例えば、パンポットの設定値Ｘがプラスの最大値（すなわち、Ｘ＝＋７）である場合、ＤＳＰ部１６は、Ｌチャネルだけから出力するように、各メロディデータを処理する。また、例えば、パンポットの設定値Ｘがマイナスの値（すなわち、−７＜Ｘ＜０）である場合、ＤＳＰ部１６は、ＬチャネルよりＲチャネルの出力レベルが大きくなるように、各メロディデータを処理する。また、例えば、パンポットの設定値Ｘがマイナスの最大値（すなわち、Ｘ＝−７）である場合、ＤＳＰ部１６は、Ｒチャネルだけから出力するように、各メロディデータを処理する。
【００３７】
ＤＳＰ部１６は、各メロディデータを信号処理すると、処理した各メロディデータをＤ／Ａコンバータ１７に出力する。すると、Ｄ／Ａコンバータ１７は、各メロディデータをアナログ信号に変換し、スピーカアンプ１８に出力する。また、スピーカアンプ１８は、Ｄ／Ａコンバータ１７から入力した各信号のレベル調整を行い、各スピーカ１９Ｌ，１９Ｒに出力する。そして、各スピーカ１９Ｌ，１９Ｒは、Ｌチャネル及びＲチャネルの信号に基づいてそれぞれ鳴動し、着信メロディの音声を出力する（ステップＳ１５）。
【００３８】
ステップＳ１３で設定値Ｘが０であると判断すると、ＤＳＰ部１６は、各メロディデータの信号処理を行わないと判断する。そして、ＤＳＰ部１６は、各メロディデータを信号処理せずに、そのままＤ／Ａコンバータ１７に出力する。すると、Ｄ／Ａコンバータ１７が各メロディデータをアナログ信号に変換し、スピーカアンプ１８がレベル調整を行い、各スピーカ１９Ｌ，１９Ｒが音声を出力する。すなわち、音像制御装置は、音声定位処理を行わずに、Ｌチャネル及びＲチャネルから同一の信号に基づいて、着信メロディの音声をモノラル再生する。
【００３９】
次に、図２に示す処理に従って行われる音像定位の概念について説明する。図３は、パンポットの設定値に基づく音像定位の概念を示す説明図である。本実施の形態では、パンポットの設定値として、「−７」から「＋７」までのいずれかの値が設定されている。パンポットの設定値が「＋７」である場合、携帯電話機は、メロディデータに基づいてＬチャネルだけから音声を出力する。この場合、図３（ａ）に示すように、ＤＳＰ部１６がＬチャネルのメロディデータを左側に定位させるための信号処理を行うことによって、携帯電話機は、Ｌチャネルだけから音声を出力する。そのため、視聴者から見ると、恰も仮想音源が左側４５度方向にあるかのように、音像が左側に定位して着信メロディが聞こえる。
【００４０】
パンポットの設定値が「−７」である場合、携帯電話機は、メロディデータに基づいてＲチャネルだけから音声を出力する。この場合、図３（ｃ）に示すように、ＤＳＰ部１６がＲチャネルのメロディデータを右側に定位させるための信号処理を行うことによって、携帯電話機は、Ｒチャネルだけから音声出力する。そのため、視聴者から見ると、恰も仮想音源が右側４５度方向にあるかのように、音像が右側に定位して着信メロディが聞こえる。
【００４１】
パンポットの設定値が０である場合、携帯電話機は、図３（ｂ）に示すように、Ｌチャネル及びＲチャネルから、同一のモノラル信号に基づいて音声出力する。モノラル再生であるので、視聴者から見ると、音源が視聴者に対して正面方向にあるように着信メロディが聞こえる。
【００４２】
図３に示すように、着信メロディの音源データにパンポットの値を予め設定することによって、近接したスピーカを用いる場合であっても、音像を左側又は右側に定位させることができ、ステレオ効果を得ることができる。
【００４３】
次に、図２に示す処理に従って、携帯電話機が信号処理を行う動作を具体的に説明する。図４は、携帯電話機において、２つの近接したスピーカを用いて音像定位処理を行う場合の動作を示す説明図である。図４に示すように、ＤＳＰ部１６は、４つの信号処理回路１６Ａ，１６Ｂ，１６Ｃ，１６Ｄを含む。なお、図４では、説明の便宜上、ＲＯＭ１１、ＣＰＵ１２、Ｄ／Ａコンバータ１７及びスピーカアンプ１８を省略して示しているが、ＤＳＰ部１６は、実際には、Ｄ／Ａコンバータ１７及びスピーカアンプ１８を介して各スピーカ１９Ｌ，１９Ｒに接続される。
【００４４】
本実施の形態では、信号処理回路１６Ａは、音源１３から入力したＲチャネルのメロディデータを信号処理して、Ｒスピーカ１９Ｒ側に出力する。また、信号処理回路１６Ｂは、音源１３から入力したＬチャネルのメロディデータを信号処理して、Ｒスピーカ１９Ｒ側に出力する。また、信号処理回路１６Ｃは、音源１３から入力したＲチャネルのメロディデータを信号処理して、Ｌスピーカ１９Ｌ側に出力する。また、信号処理回路１６Ｄは、音源１３から入力したＬチャネルのメロディデータを信号処理して、Ｌスピーカ１９Ｌ側に出力する。
【００４５】
まず、メロディ音源１３からのＬチャネルのメロディデータに対して、近接した２つのスピーカ１９Ｌ，１９Ｒを用いて音像定位処理を行う場合を説明する。信号処理回路１６Ｄは、音源１３からのＬチャネルのメロディデータに対して、レベル及び位相を制御して信号処理を行い、Ｌスピーカ１９Ｌ側に出力する。すると、Ｌスピーカ１９Ｌは、処理後の信号に基づいて鳴動し音声を出力する。同様に、信号処理回路１６Ｂは、音源１３からのＬチャネルのメロディデータに対して、レベル及び位相を制御して信号処理を行い、Ｒスピーカ１９Ｒ側に出力する。すると、Ｒスピーカ１９Ｒは、処理後の信号に基づいて鳴動し音声を出力する。
【００４６】
Ｌスピーカ１９Ｌから出力された音声は、経路２７を介して視聴者の左耳２２に伝わる。また、Ｌスピーカ１９Ｌから出力された音声は、経路２６を介して視聴者の右耳２１に伝わる。また、同様に、Ｒスピーカ１９Ｒから出力された音声は、経路２８を介して左耳２２に伝わり、経路２５を介して右耳２１に伝わる。そのため、視聴者は、左耳２２で、Ｌスピーカ１９Ｌから経路２７を介して伝えられた音と、Ｒスピーカ１９Ｒから経路２８を介して伝えられた音とを聞くことになる。また、同様に、視聴者は、右耳２１で、Ｌスピーカ１９Ｌから経路２６を介して伝えられた音と、Ｒスピーカ１９Ｒから経路２５を介して伝えられた音とを聞くことになる。
【００４７】
例えば、パンポットの設定値が「＋７」である場合、音像を左側４５度方向に定位させるために、信号処理回路１６Ｂ及び信号処理回路１６Ｄは、Ｌスピーカ１９Ｌ及びＲスピーカ１９Ｒから両耳２１，２２に伝わる音の伝達特性を考慮して、所定の音圧差と所定の時間差とが両耳２１，２２に生じるように信号処理を行う。この場合、Ｌスピーカ１９Ｌからの音とＲスピーカ１９Ｒからの音とを空間で相互に干渉させて音を定位させるために、信号処理回路１６Ｂと信号処理回路１６Ｄとは、相互に逆相に近い位相となるように、それぞれメロディデータを信号処理してスピーカ１９Ｌ，１９Ｒ側に出力する。そのように、音圧差と時間差とが両耳２１，２２に生じるようにレベル及び位相を処理することによって、両耳２１，２２で恰も左側４５度方向から音が聞こえるように視聴者に感じさせることができる。
【００４８】
また、同様に、パンポットの設定値が「−７」である場合、音像を右側４５度方向に定位させるために、信号処理回路１６Ａ及び信号処理回路１６Ｃは、Ｌスピーカ１９Ｌ及びＲスピーカ１９Ｒから両耳２１，２２に伝わる音の伝達特性を考慮して、所定の音圧差と所定の時間差とが両耳２１，２２に生じるように信号処理を行う。そして、Ｌスピーカ１９Ｌが出力した音と、Ｒスピーカ１９Ｒが出力した音とを空間上で干渉させることによって、音像を右側に定位させる。
【００４９】
パンポットの設定値が０である場合、ＤＳＰ部１６は、音像定位処理を行わずに、そのまま各メロディデータを出力する。本実施の形態では、ＤＳＰ部１６は、音声の音質や音圧の変化を防止するために、パンポットの設定値に基づいて、音像定位処理のオン又はオフの設定を行う。本実施の形態では、ＤＳＰ部１６は、音源１３から、Ｌチャネル及びＲチャネルのメロディデータに加えてパンポット情報を入力する。そして、ＤＳＰ部１６は、各チャネルのメロディデータ及びパンポット情報に基づいて音像定位処理を行う。
【００５０】
例えば、ＤＳＰ部１６は、パンポット情報に含まれるパンポットの設定値が０であるか否かを判断する。設定値が０であると判断すると、ＤＳＰ部１６は、音像定位処理をオフに設定し、各メロディデータを信号処理せずに、そのままスピーカ１９Ｌ，１９Ｒ側に出力する。設定値が０でないと判断すると、ＤＳＰ部１６は、音像定位処理をオンに設定し、各メロディデータを信号処理してスピーカ１９Ｌ，１９Ｒ側に出力する。
【００５１】
図５は、ＤＳＰ部１６が音像定位処理のオン又はオフの設定を行う場合の例を示す説明図である。図５（ａ）は、ＤＳＰ部１６が音源１３から入力する各メロディデータの例を示す。また、図５（ｂ）は、ＤＳＰ部１６が音源１３から入力するパンポット情報に含まれるパンポットの設定値の例を示す。また、図５（ｃ）は、ＤＳＰ部１６による音像定位処理のオン又はオフの設定状態の例を示す。
【００５２】
図５に示す例では、例えば、区間ｔ１では、パンポットの設定値が０であるので、図５（ｃ）に示すように、ＤＳＰ部１６は、音像定位処理をオフに設定する。すなわち、音像定位の効果が得られないので、ＤＳＰ部１６は、出力する音の音質や音圧の変化を防止するために、音像定位処理を行わずにそのままスピーカ１９Ｌ，１９Ｒ側に出力する。また、例えば、区間ｔ２では、パンポットの設定値が「＋７」であるので、図５（ｃ）に示すように、ＤＳＰ部１６は、音像定位処理をオンに設定する。すなわち、ＤＳＰ部１６は、各メロディデータを信号処理して音像を左側に定位させる。また、例えば、区間ｔ３では、パンポットの設定値が「−７」であるので、図５（ｃ）に示すように、ＤＳＰ部１６は、音像定位処理をオンに設定する。すなわち、ＤＳＰ部１６は、各メロディデータを信号処理して音像を右側に定位させる。
【００５３】
また、同様に、区間ｔ４では、パンポットの設定値が「＋７」であるので、ＤＳＰ部１６は、メロディデータを信号処理して音像を左側に定位させる。また、区間ｔ５では、パンポットの設定値が０であるので、ＤＳＰ部１６は、信号処理を行わずにモノラルで出力する。また、区間ｔ６では、パンポットの設定値が「−７」であるので、ＤＳＰ部１６は、メロディデータを信号処理して音像を右側に定位させる。
【００５４】
以上に示す処理を実行することによって、ＤＳＰ部１６は、音源データのパンポット情報に基づいて、パンポットの設定値が０でない場合には音像定位によるステレオ効果が得られるで、信号処理を行って音像を左側又は右側に定位させる。また、パンポットの設定値が０の場合には、信号処理を行っても音像は定位しないので、ＤＳＰ部１６は、信号処理を行わずに各メロディデータをそのまま出力する。
【００５５】
例えば、一般に、携帯電話機は、着信メロディ等を音像定位して音声出力する場合、パンポットの設定値が０であっても、各メロディデータの信号処理を行う。この場合、信号処理回路１６Ｄは、Ｌチャネルのメロディデータに対して、レベル及び位相制御を行いＬスピーカ１９Ｌ側に出力する。また、信号処理回路１６Ｃは、Ｒチャネルのメロディデータに対して、レベル及び位相制御を行いＬスピーカ１９Ｌ側に出力する。そして、Ｌスピーカ１９Ｌは、信号処理回路１６Ｄ側からの信号と信号処理回路１６Ｃ側からの信号とを合成して、合成した信号に基づいて鳴動し音声を出力する。
【００５６】
また、同様に、信号処理回路１６Ａは、Ｒチャネルのメロディデータに対して、レベル及び位相制御を行いＲスピーカ１９Ｒ側に出力する。また、信号処理回路１６Ｂは、Ｌチャネルのメロディデータに対して、レベル及び位相制御を行いＲスピーカ１９Ｒ側に出力する。そして、Ｒスピーカ１９Ｒは、信号処理回路１６Ａ側からの信号と信号処理回路１６Ｂ側からの信号とを合成して、合成した信号に基づいて鳴動し音声を出力する。
【００５７】
パンポットの設定値が０である場合に信号処理を行って音声出力すると、例えば、Ｌスピーカ１９Ｌは、信号処理回路１６Ｄ側からのＬチャネルの信号と、信号処理回路１６ＣがＬチャネルの信号に対して逆相になるように信号処理したＲチャネルの信号とを合成して、鳴動し音声出力することになる。そのため、Ｌチャネルの信号とＲチャネルの信号とが同一で逆相に近い位相であるので、合成することによって信号レベルが低下する。また、同様に、Ｒスピーカ１９Ｒも、相互に逆相に近い信号を合成するので、信号レベルが低下する。そのため、パンポットの設定値が０の場合、音像の定位効果が得られないにもかかわらず信号処理してしまうと、出力する音の音質や音量が変化してしまう。
【００５８】
本実施の形態では、音源データに含まれるパンポット情報に基づいて、パンポットの設定値が０である場合には、信号処理を行わずに左右のスピーカ１９Ｌ，１９Ｒからモノラルで音声出力する。そのため、パンポットが０である場合であっても、スピーカ１９Ｌ，１９Ｒから出力する音の音質や音量を確保することができる。
【００５９】
以上のように、本実施の形態によれば、ＤＳＰ部１６は、パンポット情報に含まれるパンポットの設定値Ｘが０であるか否かを判断する。また、ＤＳＰ部１６は、パンポットの設定値Ｘが０であると判断すると、音像定位処理を行わずに、そのままＬチャネル及びＲチャネルのメロディデータを出力する。そして、各スピーカ１９Ｌ，１９Ｒは、それぞれＬチャネル及びＲチャネルの信号に基づいて鳴動し、着信メロディをモノラル再生する。本実施の形態によれば、ステレオ効果が得られないパンポットの設定値Ｘが０の場合に、音声定位を行わないようにすることによって、音圧を確保しつつ良好な音質で着信メロディを再生することができる。従って、パンポットが設定されている場合に、再生する着信メロディの音質の劣化やレベルの低下を防止することができる。
【００６０】
なお、本実施の形態では、携帯電話機が着信メロディを再生出力する場合を説明したが、音像制御装置が音像定位処理を行って再生する音声は、着信メロディに限られない。例えば、音像制御装置は、携帯電話機がゲームの効果音等の他の音声をスピーカから出力する際に、ゲームの効果音等の音声を音像定位して再生出力する場合にも適用可能である。
【産業上の利用可能性】
【００６１】
本発明は、近接する複数のスピーカを備えた携帯電話機において、着信時に着信メロディをステレオ再生する用途に適用できる。また、本発明は、携帯電話機において、ゲームの効果音をステレオ再生する用途に適用できる。
【図面の簡単な説明】
【００６２】
【図１】本発明による音像制御装置の構成の一例を示すブロック図である。
【図２】携帯電話機において着信があった場合に、着信メロディの音像を定位させて音声出力する処理の一例を示す流れ図である。
【図３】パンポットの設定値に基づく音像定位の概念を示す説明図である。
【図４】携帯電話機において、２つの近接したスピーカを用いて音像定位処理を行う場合の動作を示す説明図である。
【図５】ＤＳＰ部１６が音像定位処理のオン又はオフの設定を行う場合の例を示す説明図である。
【符号の説明】
【００６３】
１１  ＲＯＭ
１２  ＣＰＵ
１３  音源
１６  ＤＳＰ部
１６Ａ，１６Ｂ，１６Ｃ，１６Ｄ  信号処理回路
１７  Ｄ／Ａコンバータ
１８  スピーカアンプ
１９Ｌ，１９Ｒ  スピーカ
【図１】
2006246244.tif 000003
【図２】
2006246244.tif 000004
【図３】
2006246244.tif 000005
【図４】
2006246244.tif 000006
【図５】
2006246244.tif 000007